(57)【要約】  本発明の目的は、複数のＦＰＵ受信機から出力しているそれぞれ対応する複数のＤＶＢ−ＡＳＩの支援情報を方向調整支援装置に表示させることである。  本発明の受信システムは、１または複数のＦＰＵ受信機と、ＦＰＵ受信機にそれぞれ対応する１または複数のＤＶＢ−ＡＳＩ部と、ＦＰＵ受信機に接続しているアンテナの方向調整を支援する方向調整支援装置を備えた受信システムであって、ＤＶＢ−ＡＳＩ部は、それぞれ対応するＦＰＵ受信機から出力されるＤＶＢ−ＡＳＩ信号をＵＳＢ用の受信支援情報に変換して、１または複数の受信支援情報を方向調整支援装置に表示することを特徴とする。
2018020758.tif 000002
【特許請求の範囲】
【請求項１】
１または複数のＦＰＵ受信機と、前記ＦＰＵ受信機にそれぞれ対応する１または複数のＤＶＢ−ＡＳＩ部と、前記ＦＰＵ受信機に接続しているアンテナの方向調整を支援する方向調整支援装置を備えた受信システムであって、
前記ＤＶＢ−ＡＳＩ部は、それぞれ対応する前記ＦＰＵ受信機から出力されるＤＶＢ−ＡＳＩ信号をＵＳＢ用の受信支援情報に変換して前記方向調整支援装置に送信し、
前記方向調整支援装置は１または複数の前記受信支援情報を表示することを特徴とする受信システム。
【請求項２】
請求項１に記載の受信システムであって、
前記方向調整支援装置は、１または複数の前記ＦＰＵ受信機に接続しているアンテナの方向調整を支援するため、前記ＦＰＵ受信機が配備されている基地局と前記ＦＰＵ受信機を選択することができ、選択した前記ＦＰＵ受信機の方向調整に必要なデータを表示することを特徴とする受信システム。
【請求項３】
１または複数のＦＰＵ受信機と、前記ＦＰＵ受信機にそれぞれ対応する１または複数のＤＶＢ−ＡＳＩ部と、前記ＦＰＵ受信機に接続しているアンテナの方向調整を支援する方向調整支援装置を備えた受信システムの受信情報表示方法であって、
前記ＦＰＵ受信機は、アンテナの方向調整に必要な受信支援情報を出力し、
前記ＤＶＢ−ＡＳＩ部は、それぞれ対応する前記ＦＰＵ受信機から出力されるＤＶＢ−ＡＳＩ信号をＵＳＢ用の受信支援情報に変換し、
前記方向調整支援装置は、アンテナの方向調整に必要な１または複数の受信支援情報を表示することを特徴とする受信情報表示方法。
【発明の詳細な説明】
【技術分野】
【０００１】
本発明は、受信システムおよびその受信情報表示方法に関するものである。
【背景技術】
【０００２】
従来、マイクロ受信基地局システム等において、回転パラボラアンテナの受信状態を監視するために受信支援情報を汎用パソコンにて表示している。
これまではＦＰＵ（Field  Pick-up  Unit）受信機から出力されるＤＶＢ−ＡＳＩ（Digital  Video  Broadcasting  -   Asynchronous  Serial  Interface）信号に重畳された受信支援情報をアダプタで信号変換し、ＬＡＮ（Local  Area  Network）出力にてパソコンに情報を取り込み、支援情報を表示している。
現状のアダプタではＬＡＮの接続が単独のパソコンのみ接続可能である。
このため、ＦＰＵ受信機が複数ある場合、表示用のパソコンが受信機毎に必要となる。
また、パソコン1台にて複数の支援情報を表示するためにはＤＶＢ−ＡＳＩにて切り替えるか、又はEthernet（登録商標） ＨＵＢを使用して複数のアダプタから出力される受信支援情報をパソコンに取り込む必要がある。【０００３】
先行技術文献としては、例えば、特許文献１に、低速のアナログモデムを使用して遅延プロファイル情報等を伝送し、アンテナの方向調整を支援する発明が開示されている。
【先行技術文献】
【特許文献】
【０００４】
【特許文献１】特開２００６−２８７３７１号公報
【発明の概要】
【発明が解決しようとする課題】
【０００５】
本発明の目的は、複数のＦＰＵ受信機から出力しているそれぞれ対応する複数のＤＶＢ−ＡＳＩの支援情報を方向調整支援装置に表示させることである。
【課題を解決するための手段】
【０００６】
本発明の受信システムは、１または複数のＦＰＵ受信機と、ＦＰＵ受信機にそれぞれ対応する１または複数のＤＶＢ−ＡＳＩ部と、ＦＰＵ受信機に接続しているアンテナの方向調整を支援する方向調整支援装置を備えた受信システムであって、前記ＤＶＢ−ＡＳＩ部は、それぞれ対応する前記ＦＰＵ受信機から出力されるＤＶＢ−ＡＳＩ信号をＵＳＢ用の受信支援情報に変換して前記方向調整支援装置に送信し、前記方向調整支援装置は１または複数の前記受信支援情報を表示することを特徴とする。【０００７】
また、前記方向調整支援装置は、１または複数のＦＰＵ受信機に接続しているアンテナの方向調整を支援するため、ＦＰＵ受信機が配備されている基地局とＦＰＵ受信機を選択することができ、選択したＦＰＵ受信機の方向調整に必要なデータを表示することが好ましい。【０００８】
さらに、本発明の受信情報表示方法は、１または複数のＦＰＵ受信機と、ＦＰＵ受信機にそれぞれ対応する１または複数のＤＶＢ−ＡＳＩ部と、ＦＰＵ受信機に接続しているアンテナの方向調整を支援する方向調整支援装置を備えた受信システムの受信情報表示方法であって、前記ＦＰＵ受信機は、アンテナの方向調整に必要な受信支援情報を出力し、ＤＶＢ−ＡＳＩ部は、それぞれ対応するＦＰＵ受信機から出力されるＤＶＢ−ＡＳＩ信号をＵＳＢ用の受信支援情報に変換し、方向調整支援装置は、アンテナの方向調整に必要な１または複数の受信支援情報を表示することを特徴とする。
【発明の効果】
【０００９】
本発明によれば、パソコン1台にて複数の支援情報を表示するためにＤＶＢ−ＡＳＩを切替えたり、Ethernet（登録商標） ＨＵＢを使用して複数のアダプタから出力される受信支援情報をパソコンに取り込んだりする必要がなく、複数のＦＰＵ受信機から出力しているＤＶＢ−ＡＳＩの複数の受信支援情報を、まとめて直接１つの方向調整支援装置に取り込んで表示させることができる。
【図面の簡単な説明】
【００１０】
【図１】本発明の一実施例に係る受信システムの構成を示すブロック図である。
【図２】本発明の一実施例に係るＤＶＢ−ＡＳＩ部のブロック図である。
【図３】本発明の一実施例に係る方向支援部が表示する受信支援画面を説明するための図である。
【図４】本発明の一実施例に係る方向支援部が表示する受信支援画面図である。
【図５】本発明の一実施例に係る方向支援部が表示する複数の受信支援画面図である。
【図６】本発明の一実施例に係る方向支援部が表示する遅延プロファイルの表示方法を説明するための図である。
【図７】本発明の一実施例に係る方向支援部が表示するコンスタレーションの表示方法を説明するための図である。
【発明を実施するための形態】
【００１１】
以下、本発明の実施形態について図面を参照して詳細に説明する。
図１は本発明の一実施例に係る受信システムの構成を示すブロック図である。
図１において、受信システムは、ＦＰＵ受信機１０−１〜１０−Ｎ（Ｎは正数）、ＤＶＢ−ＡＳＩ部２０−１〜２０−Ｎ（ＤＶＢ−ＡＳＩ部を代表する場合は２０と称する）、方向調整支援装置３０で構成されている。
ＤＶＢ−ＡＳＩ部２０は、ＦＰＵ受信機１０−１〜１０−Ｎから出力されるＤＶＢ−ＡＳＩ信号に重畳されている受信支援情報を抜き出してＵＳＢ（Universal  Serial  Bus）信号に変換する。つまり具体的には、1又は複数のＦＰＵ受信機１０−１〜１０−Ｎから出力された複数の受信支援情報は、各ＦＰＵ受信機のそれぞれに対応する１または複数のＤＶＢ−ＡＳＩ部により、それぞれのＤＶＢ−ＡＳＩ部に対応するＦＰＵ受信機から出力されるＤＶＢ−ＡＳＩ信号をＵＳＢ用の受信支援情報にそれぞれ変換される。
方向調整支援装置３０は、表示装置を有し、ＤＶＢ−ＡＳＩ部で変換された１または複数の受信支援情報から図示していないＦＰＵ受信機に接続しているアンテナの方向調整を支援するための表示を行う。
なお、方向調整支援装置３０は、ＰＣ（Personal  Computer）等でもよい。
【００１２】
図１において、ＦＰＵ受信機１０−１〜１０−Ｎは、例えば、Ａ基地、Ｂ基地、Ｃ基地に配備している。
ＦＰＵ受信機１０は、例えば、Ａ基地において、１２３４，１２３５，１２３６，１２３７，１２３８，１２３９の６台が配備されている。
【００１３】
図２は本発明の一実施例に係るＤＶＢ−ＡＳＩ部のブロック図である。
ＤＶＢ−ＡＳＩ部２０は、ＤＶＢ−ＡＳＩ受信部２１、ＲＸ−ＩＦ（Reciever  -  Interface）部２２、ＢＵＦＦＥＲ部２３、ＵＳＢ−ＩＦ部２４で構成されている。
ＤＶＢ−ＡＳＩ受信部２１は、ＤＶＢ−ＡＳＩ信号を受信して、ＲＸ−ＩＦ部２２に出力する。
【００１４】
ＲＸ−ＩＦ部２２は、ＤＶＢ−ＡＳＩ信号に重畳している受信支援情報を分離してＢＵＦＦＥＲ部２３に出力する。
ＢＵＦＦＥＲ部２３は、受信支援情報を記憶する。
ＵＳＢ−ＩＦ部２４は、受信支援情報をＵＳＢ信号に変換して方向調整支援装置３０に出力する。
【００１５】
図３は本発明の一実施例に係る方向支援部が表示する受信支援画面を説明するための図である。
方向調整支援装置３０は、図示していない表示装置を有し、その表示装置にアンテナの方向調整を支援するための表示を行う。
方向調整支援装置３０の方向調整支援画面３００は、接続先３０１を表示し、受信チャネル表示３０２、バンド表示３０３、ＦＦＴポイント数表示３０４、変調方式表示３０５、誤り訂正表示３０６、ビットレート表示３０７、ガード表示３０８、ノーマル/テスト表示３０９、インターリーブ表示３１０、予備３１１、プリセットＮｏ表示３１２、ＢＥＲ表示３１３、マージン表示３１４、受信電界レベル表示３１５、ＳＨＦ  Ｌｅｖｅｌ（受信レベル（ＢＬメータ）表示）３１６、送信機名表示３１７、Ｄ−Ｐｒｏデータ表示３１８、コンスタレーション/帯域内周波数特性/収束度表示３１９、マージン指示表示３２０、ピークホールド指示表示３２１の表示を行う。
【００１６】
図４は本発明の一実施例に係る方向支援部が表示する受信支援画面図である。
図４は、方向調整支援画面に切替表示４０１を重畳している。なお、方向調整支援画面４００は、ＦＰＵ受信機１０の１つ（単独）の方向調整支援データを表示するものである。
切替表示４０１は、例えば、中継基地がＡ基地、Ｂ基地、Ｃ基地の３か所から選択でき、Ａ基地の場合、１２３４，１２３５，１２３６，１２３７，１２３８，１２３９から接続先を選択できる。例えば、「１２３４」を選択後、「終了」を押下すると、切替表示４０１の表示が消え、方向調整支援画面４００に「１２３４」の各ＤＶＢ−ＡＳＩの方向調整支援データを表示する。
【００１７】
図５は本発明の一実施例に係る方向支援部が表示する複数の受信支援画面図である。
図５は、複数のＦＰＵ受信機１０のＤＶＢ−ＡＳＩの方向調整支援データを表示するものである。
方向調整支援画面５００は、例えば、４台のＦＰＵ受信機１０のＤＶＢ−ＡＳＩの方向調整支援データを表示するものである。
【００１８】
次に、図３のＤ−Ｐｒｏデータ表示３１８に表示する遅延プロファイルの表示方法について図６を用いて説明する。
図６は本発明の一実施例に係る方向支援部が表示する遅延プロファイルの表示方法を説明するための図である。
図６の遅延プロファイルは、横軸が「遅延τ」であり、縦軸が「電力Ｐ（τ）」である。
図６において、遅延プロファイルは、データブロックの先頭（００）から２５５（ＦＦ）個のデータを１ドット幅のグラフを１ドット間隔で描画したものである。
【００１９】
次に、図３のコンスタレーション/帯域内周波数特性/収束度表示３１９に表示するコンスタレーションの表示方法について、図７を用いて説明する。
図７は本発明の一実施例に係る方向支援部が表示するコンスタレーションの表示方法を説明するための図である。
図７のコンスタレーションは、搬送波位相と振幅の関係を横軸（同相軸（Ｉ−ｃｈ））と縦軸（直交軸（Ｑ−ｃｈ））によって表したものである。
図７において、コンスタレーションは、データ（Ｘ０，Ｙ０）、（Ｘ１，Ｙ１）、・・・、（Ｘ５１１，Ｙ５１１）を描画したものである。
【００２０】
本発明の実施形態である受信システムは、複数のＦＰＵ受信機から出力しているＤＶＢ−ＡＳＩの支援情報を方向調整支援装置に表示させることである。
【００２１】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００２２】
ＦＰＵ受信機から出力される受信支援情報をＵＳＢ用に変換することによって、ＦＰＵ受信機に接続しているアンテナの方向調整を支援する用途に適用できる。
【符号の説明】
【００２３】
１０−１〜１０−Ｎ：ＦＰＵ受信機、２０，２０−１〜２０−Ｎ：ＤＶＢ−ＡＳＩ部、３０：方向調整支援装置、２１：ＤＶＢ−ＡＳＩ受信部、２２：ＲＸ−ＩＦ部、２３：ＢＵＦＦＥＲ部、２４：ＵＳＢ−ＩＦ部。
【図１】
2018020758.tif 000003
【図２】
2018020758.tif 000004
【図３】
2018020758.tif 000005
【図４】
2018020758.tif 000006
【図５】
2018020758.tif 000007
【図６】
2018020758.tif 000008
【図７】
2018020758.tif 000009
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
複数のＦＰＵ受信機と、前記ＦＰＵ受信機にそれぞれ対応する複数のＤＶＢ−ＡＳＩ部と、前記ＦＰＵ受信機に接続しているアンテナの方向調整を支援する方向調整支援装置を備えた受信システムであって、
前記ＤＶＢ−ＡＳＩ部は、それぞれ対応する前記ＦＰＵ受信機から出力されるＤＶＢ−ＡＳＩ信号から受信支援情報を抜き出し、前記受信支援情報をＵＳＢ信号に変換して前記方向調整支援装置に送信し、
前記方向調整支援装置は、前記複数のＤＶＢ−ＡＳＩ部と接続されており、複数の前記受信支援情報を表示することを特徴とする受信システム。
【請求項２】
請求項１に記載の受信システムであって、
前記方向調整支援装置は、複数の前記ＦＰＵ受信機に接続しているアンテナの方向調整を支援するため、前記ＦＰＵ受信機が配備されている基地局と前記ＦＰＵ受信機を選択することができ、選択した前記ＦＰＵ受信機の方向調整に必要なデータを表示することを特徴とする受信システム。
【請求項３】
複数のＦＰＵ受信機と、前記ＦＰＵ受信機にそれぞれ対応する複数のＤＶＢ−ＡＳＩ部と、前記ＦＰＵ受信機に接続しているアンテナの方向調整を支援する方向調整支援装置を備えた受信システムの受信情報表示方法であって、
前記ＦＰＵ受信機は、アンテナの方向調整に必要な受信支援情報を出力し、
前記ＤＶＢ−ＡＳＩ部は、それぞれ対応する前記ＦＰＵ受信機から出力されるＤＶＢ−ＡＳＩ信号から受信支援情報を抜き出し、前記受信支援情報をＵＳＢ信号に変換し、
前記方向調整支援装置は、アンテナの方向調整に必要な複数の受信支援情報を表示することを特徴とする受信情報表示方法。
【国際調査報告】
2018020758.tif 000010
2018020758.tif 000011
2018020758.tif 000012
2018020758.tif 000013